Podtech/llm-jp-corpus-v4-ja_patent huggingface dataset:
【手続補正書】
【提出日】平成23年7月20日(2011.7.20)
【手続補正１】
【補正対象書類名】明細書
【補正対象項目名】０００５
【補正方法】変更
【補正の内容】
【０００５】
上記屋内用照明器具の一般的な構成は特許文献を挙げるまでもないが、一例として直管型ランプ用照明器具の構成を図６に示す。
【手続補正２】
【補正対象書類名】明細書
【補正対象項目名】０００６
【補正方法】変更
【補正の内容】
【０００６】
図６（ａ）はランプと直交する方向での照明器具断面図、図６（ｂ）はランプの長手方向での照明器具断面図である。これらの図に示すように、照明器具は室内天井面に埋め込む本体１を有し、本体１は凹状に形成されている。本体１の底面には安定器、端子台などの電装部品２が取り付けられている。さらに本体１の長手方向両端の側面にはソケット３を支持する支持板４が固定され、この支持板４に反射板５がねじ等で固定可能になっている。反射板４が支持板３に固定されたとき、本体１の底面の電装部品２は反射板４によって隠れ、ソケット３のみが露出する。そのため、反射板５にはソケット３を貫通させるための穴５ａが設けられている。
【手続補正３】
【補正対象書類名】明細書
【補正対象項目名】００１４
【補正方法】変更
【補正の内容】
【００１４】
以下、本発明の実施例について図面を参照して説明する。但し、図６に示した背景技術の照明器具に使われている部品と同じものには同一符号を用いて説明する。
【手続補正４】
【補正対象書類名】明細書
【補正対象項目名】００１６
【補正方法】変更
【補正の内容】
【００１６】
本例の照明器具は図６に示した構成と同じものとした。この照明器具に施工したリニューアルキットは、灯具１１とユニット部１４という２つのユニットを含む。
【手続補正５】
【補正対象書類名】明細書
【補正対象項目名】００２６
【補正方法】変更
【補正の内容】
【００２６】
次に、本実施例のリニューアルキットを用いての工事手順を説明する。
【手続補正６】
【補正対象書類名】明細書
【補正対象項目名】００２７
【補正方法】変更
【補正の内容】
【００２７】
手順１
まず、照明器具の電源を切って本体１からランプ１９を外す。それから、本体１から反射板５を外す。これは、図６に示される支持板４に反射板５を固定するためのネジ２０を緩めれば外すことができる。さらに、寿命の来たソケット３から配線コードを外すとともに、本体１に固定されている支持板４からソケット３を取り外す。このとき、本体１に固定されている電装部品２である安定器にも寿命が来ているならば、端子台から電源ケーブルを外して安定器も本体１から取り外す。
【手続補正７】
【補正対象書類名】明細書
【補正対象項目名】００２８
【補正方法】変更
【補正の内容】
【００２８】
手順２
さらに、反射板５に灯具１１を固定する。このとき、反射板５の穴５ａを通って灯具１１のソケット３が露出するように、反射板５の裏面に間隔保持板１２を粘着剤や両面テープ１３等で貼り付ける（図１（ｂ）参照）。また、手順１において電装部品２である安定器も取り外した場合は、本体１の空きスペースにユニット部１４を取り付ける（図１（ａ）参照）。このとき、ユニット部１４の台座１５を利用して本体１にビス止めした後、電源ケーブルをユニット部１４の端子台１６に差し込む。一方、既設の安定器を未だ使用する場合は、灯具１１のソケット３に、既設の安定器に繋がる配線コードを接続する。
【手続補正８】
【補正対象書類名】明細書
【補正対象項目名】００２９
【補正方法】変更
【補正の内容】
【００２９】
手順３
しかる後、灯具１１とユニット部１４の配線コード同士をコネクタ１８で接続する。そして、灯具１１が固定された反射板５を、支持板４にネジ２０で固定し、リニューアル工事が完了する。
【手続補正９】
【補正対象書類名】明細書
【補正対象項目名】００３４
【補正方法】変更
【補正の内容】
【００３４】
図４に、この変形実施例による間隔保持板１２を構成する複数の部材を示す平面図を、図５にそれらの部材同士を一体化するときの様子を示す。
【手続補正１０】
【補正対象書類名】明細書
【補正対象項目名】００３５
【補正方法】変更
【補正の内容】
【００３５】
図４の例では間隔保持板１２は、分割された二つの部材P，Qから構成されており、部材P，Q同士は結合可能となっている。具体的には、図５に示すように、部材Ｐの端部には凸板状の雄部２１が突出形成されている。部材Ｐの雄部２１と結合する部材Ｑの端部には、雄部２１が挿入される雌部２２が形成されている。
【手続補正１１】
【補正対象書類名】明細書
【補正対象項目名】００３６
【補正方法】変更
【補正の内容】
【００３６】
雌部２２は図５（ｄ）（即ち図５（ａ）のＸ−Ｘ断面）に示すように、部材Ｑに平行な切り込みを入れてから該切れ込みに挟まれた面を隆起させて形成された、凸板状の雄部２１を通し入れるループである。図５の（ａ）から（ｃ）に示すように、雌部２２のループに凸板状の雄部２１を通し入れることにより、部材P，Q同士は一体に結合されて間隔保持板１２が出来上がる。このように間隔保持板１２は分割されていて必要なときに一体化できるので上記の問題を解消できる。
【手続補正１２】
【補正対象書類名】明細書
【補正対象項目名】００３８
【補正方法】変更
【補正の内容】
【００３８】
【図１】本発明のリニューアルキットを施工した照明器具の構成を示す断面図である。
【図２】一実施例の照明器具用リニューアルキットの構成要素である灯具を説明するための図である。
【図３】一実施例の照明器具用リニューアルキットの構成要素であるユニット部を説明するための図である。
【図４】別の実施例による間隔保持板を構成する部材を示す平面図である。
【図５】図４の部材同士を一体化するときの様子を示す図である。
【図６】直管型ランプ用照明器具の一般的な構成例を示す図である。
【手続補正１３】
【補正対象書類名】図面
【補正対象項目名】全図
【補正方法】変更
【補正の内容】
【図１】
2009123686.tif 000001
【図２】
2009123686.tif 000002
【図３】
2009123686.tif 000003
【図４】
2009123686.tif 000004
【図５】
2009123686.tif 000005
【図６】
2009123686.tif 000006
【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
ＬＥＤ負荷に流れる電流の大きさを可変制御する電流調整手段と、
ＬＥＤ負荷に流れる電流を断続制御するスイッチ手段と、
調光器から出力される調光信号を受けて前記電流調整手段と前記スイッチ手段を制御する調光制御手段とを備えるＬＥＤ調光装置であって、
前記調光制御手段は、
前記調光器から出力される調光信号が所定のレベルよりも高輝度側の場合、ＬＥＤ負荷に流れる電流を連続電流とし、流れる電流の大きさによりＬＥＤ負荷を調光し、
前記調光器から出力される調光信号が前記所定のレベルよりも低輝度側の場合、ＬＥＤ負荷に流れる電流をパルス状にして、その波形の平均値を変化させることによりＬＥＤ負荷を調光することを特徴とするＬＥＤ調光装置。
【請求項２】
前記調光制御手段は、ＬＥＤ負荷に流れる電流をフィードバックすることによる定電流制御手段と、ＬＥＤ負荷に印加される負荷電圧をフィードバックすることによる定電圧制御手段を持ち、前記調光器から出力される調光信号が所定のレベルよりも高輝度側の場合、定電流制御手段によりＬＥＤ負荷に流れる電流を直流の連続電流とし、流れる電流の大きさによりＬＥＤ負荷を調光制御し、前記調光器から出力される調光信号が前記所定のレベルよりも低輝度側の場合、定電圧制御手段によりＬＥＤ負荷に印加される負荷電圧を所定の電圧に設定しながら、ＬＥＤ負荷に流れる電流をパルス状にして、その波形の平均値を変化させることによりＬＥＤ負荷を調光することを特徴とする請求項１記載のＬＥＤ調光装置。
【請求項３】
前記所定のレベルにおいて、ＬＥＤ負荷に流れる電流をフィードバックすることによる定電流制御手段と、ＬＥＤ負荷に印加される負荷電圧をフィードバックすることによる定電圧制御手段を同時に用いる範囲を有することを特徴とする請求項２記載のＬＥＤ調光装置。
【請求項４】
前記パルス状の波形が矩形波であることを特徴とする請求項１〜３のいずれかに記載のＬＥＤ調光装置。
【請求項５】
前記調光制御手段は、前記調光器から出力される調光信号が前記所定のレベルよりも低輝度側の第２のレベルよりさらに低輝度側の場合、前記パルス状の波形の繰り返し周波数をより低い周波数に切り替えることを特徴とする請求項１〜４のいずれかに記載のＬＥＤ調光装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
請求項４の発明によれば、請求項１〜３のいずれかの発明において、前記パルス状の波形が矩形波であることを特徴とする。
【手続補正４】
【補正対象書類名】明細書
【補正対象項目名】００１１
【補正方法】変更
【補正の内容】
【００１１】
請求項５の発明によれば、請求項１〜４のいずれかの発明において、前記調光制御手段は、図４〜図７に示すように、前記調光器１から出力される調光信号が前記所定のレべルよりも低輝度側の第２のレベルよりさらに低輝度側の場合、前記パルス状の波形の繰り返し周波数をより低い周波数に切り替えることを特徴とする。
【手続補正５】
【補正対象書類名】明細書
【補正対象項目名】００１２
【補正方法】削除
【補正の内容】
【手続補正書】
【提出日】平成23年10月21日(2011.10.21)
【手続補正１】
【補正対象書類名】明細書
【補正対象項目名】発明の名称
【補正方法】変更
【補正の内容】
【発明の名称】蒸着用基板
【手続補正２】
【補正対象書類名】特許請求の範囲
【補正対象項目名】全文
【補正方法】変更
【補正の内容】
【特許請求の範囲】
【請求項１】
基板上に形成された開口部を有する反射層と、
前記基板および前記反射層上に形成された透光性を有する断熱層と、
前記断熱層上に形成された光吸収層と、
前記光吸収層上に形成された材料層とを有し、
前記反射層と前記光吸収層とにおいて、照射する光の波長に対する反射率の差は、２５％であり、
前記断熱層は、透過率が光に対して６０％以上であり、かつ前記断熱層に用いる材料の熱伝導率は、前記反射層及び前記光吸収層に用いる材料の熱伝導率よりも小さいことを特徴とする蒸着用基板。
【請求項２】
基板上に形成された開口部を有する反射層と、
前記基板および前記反射層上に形成された透光性を有する第１の断熱層と、
前記第１の断熱層上に形成された光吸収層と、
前記光吸収層を介して前記反射層と重なる位置に形成された第２の断熱層と、
前記光吸収層および前記第２の断熱層上に形成された材料層とを有し、
前記反射層と前記光吸収層とにおいて、照射する光の波長に対する反射率の差は、２５％であり、
前記断熱層は、透過率が光に対して６０％以上であり、かつ前記断熱層に用いる材料の熱伝導率は、前記反射層及び前記光吸収層に用いる材料の熱伝導率よりも小さいことを特徴とする蒸着用基板。
【請求項３】
基板上に形成された開口部を有する反射層と、
前記基板および前記反射層上に形成された透光性を有する断熱層と、
前記断熱層を介して前記反射層の開口部と重なる位置に島状に形成された光吸収層と、
前記光吸収層および前記断熱層上に形成された材料層とを有し、
前記反射層と前記光吸収層とにおいて、照射する光の波長に対する反射率の差は、２５％であり、
前記断熱層は、透過率が光に対して６０％以上であり、かつ前記断熱層に用いる材料の熱伝導率は、前記反射層及び前記光吸収層に用いる材料の熱伝導率よりも小さいことを特徴とする蒸着用基板。
【請求項４】
基板上に形成された開口部を有する反射層と、
前記基板および前記反射層上に形成された透光性を有する第１の断熱層と、
前記第１の断熱層を介して前記反射層の開口部と重なる位置に島状に形成された光吸収層と、
前記第１の断熱層を介して前記反射層と重なる位置に形成された第２の断熱層と、
前記光吸収層および前記第２の断熱層上に形成された材料層とを有し、
前記反射層と前記光吸収層とにおいて、照射する光の波長に対する反射率の差は、２５％であり、
前記断熱層は、透過率が光に対して６０％以上であり、かつ前記断熱層に用いる材料の熱伝導率は、前記反射層及び前記光吸収層に用いる材料の熱伝導率よりも小さいことを特徴とする蒸着用基板。
【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
基板上に設けられた反射層と、
前記反射層上に設けられた断熱層と、
前記反射層及び前記断熱層に設けられた開口部と、
前記断熱層上及び前記開口部に設けられた光吸収層と、
前記光吸収層上に設けられた材料層と、を有することを特徴とする蒸着用基板。
【請求項２】
基板上に設けられた反射層と、
前記反射層上に設けられた断熱層と、
前記反射層及び前記断熱層に設けられた開口部と、
前記開口部に設けられた光吸収層と、
前記断熱層及び前記光吸収層上に設けられた材料層と、を有することを特徴とする蒸着用基板。
【請求項３】
基板上に設けられた反射層と、
前記反射層に設けられた開口部と、
前記反射層上及び前記開口部に設けられた光吸収層と、
前記光吸収層上の前記反射層と重なる位置に設けられた断熱層と、
前記光吸収層及び前記断熱層上に設けられた材料層と、を有することを特徴とする蒸着用基板。
【請求項４】
基板上に設けられた反射層と、
前記反射層に設けられた第１の開口部と、
前記第１の開口部に設けられた光吸収層と、
前記光吸収層に設けられた第２の開口部と、
前記第２の開口部に設けられた断熱層と、
前記光吸収層及び前記断熱層上に設けられた材料層と、を有することを特徴とする蒸着用基板。
【請求項５】
請求項１乃至４のいずれか一項において、
前記材料層は、第１の蒸着材料を含む層と、前記第１の蒸着材料を含む層上に設けられた第２の蒸着材料を含む層と、を有し、
前記第１の蒸着材料は、前記第２の蒸着材料よりも蒸着温度が低いことを特徴とする蒸着用基板。
【請求項６】
基板表面上に反射層を形成し、
前記反射層上に断熱層を形成し、
ドライエッチングにより前記反射層及び前記断熱層に開口部を形成し、
前記断熱層上及び前記開口部に光吸収層を形成し、
前記光吸収層上に材料層を形成し、
前記基板表面と対向する位置に被成膜基板を配置し、
前記基板裏面から前記開口部を介して前記光吸収層に光を照射することにより、前記材料層の一部を加熱して前記被成膜基板に蒸着させることを特徴とする発光装置の作製方法。
【請求項７】
基板表面上に反射層を形成し、
前記反射層上に断熱層を形成し、
ドライエッチングにより前記反射層及び前記断熱層に開口部を形成し、
前記断熱層上及び前記開口部に光吸収層を形成し、
前記光吸収層を、前記開口部を覆うように島状にパターン形成し、
前記断熱層及び前記島状にパターン形成された光吸収層上に材料層を形成し、
前記基板表面と対向する位置に被成膜基板を配置し、
前記基板の裏面側から前記開口部を介して前記島状にパターン形成された光吸収層に光を照射することにより、前記材料層の一部を加熱して前記被成膜基板に蒸着させることを特徴とする発光装置の作製方法。
【請求項８】
請求項６又は７において、
前記被成膜基板を、前記被成膜基板上に形成された絶縁物が前記材料層と接するように配置することを特徴とする発光装置の作製方法。
【請求項９】
請求項６乃至８のいずれか一項において、
前記材料層は、第１の蒸着材料を含む層と、前記第１の蒸着材料を含む層上に形成された第２の蒸着材料を含む層と、を有し、
前記第１の蒸着材料は、前記第２の蒸着材料よりも蒸着温度が低いことを特徴とする発光装置の作製方法。
【請求項１０】
請求項６乃至９のいずれか一項において、
前記光は、波長８００ｎｍ以上の光であることを特徴とする発光装置の作製方法。
【請求項１１】
請求項６乃至１０のいずれか一項において、
前記光の照射は、矩形状又は線状のレーザ光を走査することにより行うことを特徴とする発光装置の作製方法。
【手続補正書】
【提出日】平成22年11月16日(2010.11.16)
【手続補正１】
【補正対象書類名】特許請求の範囲
【補正対象項目名】請求項９
【補正方法】変更
【補正の内容】
【請求項９】
情報処理装置の制御方法であって、
受付手段が、検索条件を生成するための複数のデータの選択を受け付ける受付工程と、
読出手段が、前記複数のデータのそれぞれについて、該データの各属性値を示すメタデータを記憶装置から読み出す読出工程と、
生成手段が、前記複数のデータのそれぞれのメタデータにより示される各属性値を属性の種類ごとに解析し、該各データの各属性値を代表する属性値を含む検索条件の候補を生成する生成工程と、
提示手段が、前記生成工程において生成された検索条件の候補をユーザへ選択可能に提示する提示工程と、
検索手段が、複数の検索対象のデータから、ユーザにより選択された前記検索条件の候補に適合するデータを検索する検索工程と、
を有することを特徴とする情報処理装置の制御方法。
【手続補正２】
【補正対象書類名】特許請求の範囲
【補正対象項目名】請求項１０
【補正方法】変更
【補正の内容】
【請求項１０】
コンピュータを請求項１から８のいずれか１項に記載の情報処理装置の各手段として機能させるためのプログラム。
【手続補正３】
【補正対象書類名】明細書
【補正対象項目名】０００７
【補正方法】変更
【補正の内容】
【０００７】
また、本発明による情報処理装置の制御方法は、
受付手段が、検索条件を生成するための複数のデータの選択を受け付ける受付工程と、
読出手段が、前記複数のデータのそれぞれについて、該データの各属性値を示すメタデータを記憶装置から読み出す読出工程と、
生成手段が、前記複数のデータのそれぞれのメタデータにより示される各属性値を属性の種類ごとに解析し、該各データの各属性値を代表する属性値を含む検索条件の候補を生成する生成工程と、
提示手段が、前記生成工程において生成された検索条件の候補をユーザへ選択可能に提示する提示工程と、
検索手段が、複数の検索対象のデータから、ユーザにより選択された前記検索条件の候補に適合するデータを検索する検索工程と、
を有する。
【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
電子ファイルに付加された属性情報に従って、該電子ファイルを分類して格納するフォルダの階層構造を、該フォルダに分類された電子ファイルに付加された属性情報に基づくフォルダ名を用いて表示することが可能な情報処理装置であって、
利用者からの指示があった場合に、表示すべきフォルダと該フォルダに分類される電子ファイルとを特定する特定手段と、
前記特定手段により特定されたフォルダに、前記利用者がアクセス権を有する電子ファイルが含まれているか否かを判定する判定手段と、
前記判定手段により、含まれていると判定された場合に、前記特定手段により特定されたフォルダを表示し、前記判定手段により、含まれていないと判定された場合に、前記特定手段により特定されたフォルダを表示しないよう制御する制御手段と
を備えることを特徴とする情報処理装置。
【請求項２】
前記制御手段は、
前記判定手段により、含まれていないと判定された場合に、前記特定手段により特定されたフォルダを、該フォルダに分類された電子ファイルに付加された属性情報とは異なるフォルダ名を用いて表示するよう制御することを特徴とする請求項１に記載の情報処理装置。
【請求項３】
利用者からの指示があった場合に、電子ファイルに付加された属性情報に従って、該電子ファイルを分類して格納するフォルダを、該フォルダに分類された電子ファイルに付加された属性情報に基づくフォルダ名を付与して生成する生成手段と、
前記生成手段により生成されたフォルダに、前記利用者がアクセス権を有する電子ファイルが含まれているか否かを判定する判定手段と、
前記判定手段により、含まれていると判定された場合に、前記生成手段により生成されたフォルダを表示し、前記判定手段により、含まれていないと判定された場合に、前記生成手段により生成されたフォルダを表示しないよう制御する制御手段と
を備えることを特徴とする情報処理装置。
【請求項４】
前記制御手段は、
前記判定手段により、含まれていないと判定された場合に、前記生成手段により生成されたフォルダの階層構造を、該フォルダに分類された電子ファイルに付加された属性情報とは異なるフォルダ名を用いて表示するよう制御することを特徴とする請求項３に記載の情報処理装置。
【請求項５】
電子ファイルに付加された属性情報に従って、該電子ファイルを分類して格納するフォルダの階層構造を、該フォルダに分類された電子ファイルに付加された属性情報に基づくフォルダ名を用いて表示することが可能な情報処理装置における表示制御方法であって、
特定手段が、利用者からの指示があった場合に、表示すべきフォルダと該フォルダに分類される電子ファイルとを特定する特定工程と、
判定手段が、前記特定工程において特定されたフォルダに、前記利用者がアクセス権を有する電子ファイルが含まれているか否かを判定する判定工程と、
制御手段が、前記判定工程において、含まれていると判定された場合に、前記特定工程において特定されたフォルダを表示し、前記判定工程において、含まれていないと判定された場合に、前記特定工程において特定されたフォルダを表示しないよう制御する制御工程と
を備えることを特徴とする表示制御方法。
【請求項６】
情報処理装置における表示制御方法であって、
生成手段が、利用者からの指示があった場合に、電子ファイルに付加された属性情報に従って、該電子ファイルを分類して格納するフォルダを、該フォルダに分類された電子ファイルに付加された属性情報に基づくフォルダ名を付与して生成する生成工程と、
判定手段が、前記生成工程において生成されたフォルダに、前記利用者がアクセス権を有する電子ファイルが含まれているか否かを判定する判定工程と、
制御手段が、前記判定工程において、含まれていると判定された場合に、前記生成工程において生成されたフォルダを表示し、前記判定工程において、含まれていないと判定された場合に、前記生成工程において生成されたフォルダを表示しないよう制御する制御工程と
を備えることを特徴とする表示制御方法。
【請求項７】
電子ファイルに付加された属性情報に従って、該電子ファイルを分類して格納するフォルダの階層構造を、該フォルダに分類された電子ファイルに付加された属性情報に基づくフォルダ名を用いて表示することが可能な情報処理装置のコンピュータに、
利用者からの指示があった場合に、表示すべきフォルダと該フォルダに分類される電子ファイルとを特定する特定工程と、
前記特定工程において特定されたフォルダに、前記利用者がアクセス権を有する電子ファイルが含まれているか否かを判定する判定工程と、
前記判定工程において、含まれていると判定された場合に、前記特定工程において特定されたフォルダを表示し、前記判定工程において、含まれていないと判定された場合に、前記特定工程において特定されたフォルダを表示しないよう制御する制御工程と
を実行させるためのプログラム。
【請求項８】
コンピュータに、
利用者からの指示があった場合に、電子ファイルに付加された属性情報に従って、該電子ファイルを分類して格納するフォルダを、該フォルダに分類された電子ファイルに付加された属性情報に基づくフォルダ名を付与して生成する生成工程と、
前記生成工程において生成されたフォルダに、前記利用者がアクセス権を有する電子ファイルが含まれているか否かを判定する判定工程と、
前記判定工程において、含まれていると判定された場合に、前記生成工程において生成されたフォルダを表示し、前記判定工程において、含まれていないと判定された場合に、前記生成工程において生成されたフォルダを表示しないよう制御する制御工程と
を実行させるためのプログラム。
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
第１面と第２面とを有する非磁性体で構成され、この第１面で第１基板を保持する第１基板ホルダと、
第３面と第４面とを有する非磁性体で構成され、この第３面で第２基板を保持する第２基板ホルダと、
前記第１基板ホルダの外周より内側に配置された第１磁気発生部と、
前記第２基板ホルダの外周より内側に配置された第２磁気発生部と、を備えることを特徴とする基板ホルダ装置。
【請求項２】
前記第２磁気発生部は電磁コイルであり、前記第１磁気発生部は永久磁石であることを特徴とする請求項１に記載の基板ホルダ装置。
【請求項３】
前記第２基板ホルダは電磁コイルに電力を供給する蓄電池を有することを特徴とする請求項２に記載の基板ホルダ装置。
【請求項４】
前記第２基板ホルダの第４面に形成され前記第２磁気発生部に給電する第１端子を備え、
前記２基板ホルダがステージに載置されている際に、前記第１端子に電力が給電されることを特徴とする請求項１から請求項３のいずれかに記載の基板ホルダ装置。
【請求項５】
前記第１端子とは異なり、前記第２基板ホルダの前記第４面に形成され前記第２磁気発生部に給電する第２端子を備え、
前記第２基板ホルダが前記ステージから離れている際に、前記第２端子に電力が給電されることを特徴とする請求項４に記載の基板ホルダ装置。
【請求項６】
前記第２磁気発生部は電磁コイル及び永久磁石であり、前記第１磁気発生部は永久磁石であることを特徴とする請求項１に記載の基板ホルダ装置。
【請求項７】
前記磁気コイルは前記第２基板ホルダの外周に形成された溝部内に配置されることを特徴とする請求項２又は請求項６に記載の基板ホルダ装置。
【請求項８】
前記第１磁気発生部及び前記第２磁気発生部は、前記第１基板ホルダ及び前記第２基板ホルダのそれぞれに複数配置されていることを特徴とする請求項１に記載の基板ホルダ装置。
【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
熱放射セラミックスと、
前記熱放射セラミックスの表面に配置され、外部と当接するシート部材と、を備える
ことを特徴とする熱伝放射材。
【請求項２】
前記シート部材は、熱伝導シート，熱伝電磁波吸収シート，グラファイトシート，からなる群より選択されるものである
ことを特徴とする請求項１に記載の熱伝放射材。
【請求項３】
前記熱放射セラミックスは、板状の部材であり、
前記シート部材は、前記熱放射セラミックスの主たる面の両面に配置されている
ことを特徴とする請求項１または請求項２に記載の熱伝放射材。
【請求項４】
前記熱放射セラミックスの主たる面の両面のうち、一方の面に配置される前記シート部材は熱伝導シートであり、他方の面に配置される前記シート部材は熱伝電磁波吸収シートである
ことを特徴とする請求項３に記載の熱伝放射材。
【請求項５】
前記熱放射セラミックスにはフェライト焼結体層が積層されており、
前記シート部材は、少なくとも前記フェライト焼結体層の表面に配置される
ことを特徴とする請求項１から請求項４のいずれか１項に記載の熱伝放射材。
【請求項６】
前記熱放射セラミックスに前記シート部材を介して取り付けられる熱伝導材を備える
ことを特徴とする請求項１から請求項５のいずれか１項に記載の熱伝放射材。
【請求項７】
前記熱放射セラミックスは、板状の部材であり、
前記シート部材は、前記熱放射セラミックスの主たる面の両面に配置されており、
前記主たる面の両面のうち、一方の面に配置される前記シート部材はグラファイトシートであり、他方の面に配置される前記シート部材は熱伝導シートであり、
前記熱放射セラミックスに前記熱伝導シートを介して取り付けられる熱伝導材を備える
ことを特徴とする請求項１に記載の熱伝放射材。
【請求項８】
前記シート部材は、自己粘着性を有する
ことを特徴とする請求項１から請求項７のいずれか１項に記載の熱伝放射材。
【手続補正２】
【補正対象書類名】明細書
【補正対象項目名】００１５
【補正方法】変更
【補正の内容】
【００１５】
また、上述した熱伝放射材において、フェライト焼結体の層を加えても良い。このように構成することで、広帯域に電磁波ノイズを抑制することができる。
また、上述したシート部材は、グラファイトシートを用いてもよい。グラファイトシートは非常に高い熱伝導率を有しており、発熱体から伝わった熱は、まずグラファイトシート全面に広がるため、効率的に熱放射セラミックスに熱を伝えることができる。この構成は、発熱体における発熱部分が狭い範囲に集中している場合に、より効果的である。
請求項３に記載の熱伝放射材は、前記熱放射セラミックスが、板状の部材であり、前記シート部材が、前記熱放射セラミックスの主たる面の両面に配置されていることを特徴とする。
請求項４に記載の熱伝放射材は、前記熱放射セラミックスの主たる面の両面のうち、一方の面に配置される前記シート部材は熱伝導シートであり、他方の面に配置される前記シート部材は熱伝電磁波吸収シートであることを特徴とする。
請求項７に記載の熱伝放射材は、前記熱放射セラミックスが、板状の部材であり、前記シート部材が、前記熱放射セラミックスの主たる面の両面に配置されており、前記主たる面の両面のうち、一方の面に配置される前記シート部材はグラファイトシートであり、他方の面に配置される前記シート部材は熱伝導シートであり、さらに、前記熱放射セラミックスに前記熱伝導シートを介して取り付けられる熱伝導材を備えることを特徴とする。
【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
コンピュータ・プログラムの有界モデル検査（ＢＭＣ）のための方法であって、
少なくとも１つの到達可能なプロパティ・ノードを有するプログラムを提供することと、
有界モデル検査（ＢＭＣ）のための前記プログラムを下位問題に分解することであって、
前記プログラムによる分離した制御経路にもとづいて、少なくとも１つのトンネルを生成することと、
前記少なくとも１つのトンネルに課せられた経路制約条件を使用しつつ、ＢＭＣアンローリングを使用して、簡約されたＢＭＣ下位問題を得ることと、
前記到達可能なプロパティ・ノードに対して、１次論理の決定可能なサブセット内の限定記号のない数式（ＱＦＰ）を決定することと、
前記ＱＦＰが前記下位問題に対して充足し得るかどうかを判定するために、前記ＱＦＰの充足可能性を独立に、かつ個々に検査することと、
により、有界モデル検査（ＢＭＣ）のための前記プログラムを下位問題に分解することと、
前記分解することを、１つのＢＭＣ限界に到達するまで続けることと、
を有するコンピュータ・プログラムの有界モデル検査のための方法。
【請求項２】
前記生成することが、分割深度において、分割されたトンネル・ポストを通過する制御経路の互いに素な集合を得るために、アンロールされた制御流れ図（ＣＦＧ）の上で順方向及び逆方向のスライシングを行うことを含む、請求項１記載の方法。
【請求項３】
充足可能性を検査することが、充足可能性モジュロ理論（ＳＭＴ）ソルバーを使用して実行される、請求項１記載の方法。
【請求項４】
前記ＱＦＰ数式が充足し得るならば、反例（ＣＥＸ）を決定し、すべてのＢＭＣ下位問題が充足し得ないならば、アンロールされた深度を増し、分解段階を繰り返すことを、さらに有する、請求項１記載の方法。
【請求項５】
前記下位問題をさらに制約するために、前記少なくとも１つのトンネルに流れ制約条件を適用することを、さらに有する、請求項１記載の方法。
【請求項６】
前記少なくとも１つの到達可能なプロパティ・ノードが存在するか否かを判定するために有界モデル検査（ＢＭＣ）限界への有界な制御状態到達可能性を計算することを、さらに含む、請求項１記載の方法。
【請求項７】
各下位問題が、すべての他の下位問題から独立して、スケジュール設定可能であり、かつ解くことが可能であるように、各下位問題が独立である、請求項１記載の方法。
【請求項８】
前記少なくとも１つのトンネルを、分離した制御経路にもとづいて、１組のより小さいトンネルの集合に分割することと、前記集合のそれぞれを下位問題として解くことを、さらに有する、請求項１記載の方法。
【請求項９】
コンピュータ・プログラムの有界モデル検査（ＢＭＣ）のための方法であって、
少なくとも１つの到達可能なプロパティ・ノードを有するプログラムを提供することと、
有界モデル検査（ＢＭＣ）のためのプログラムを下位問題に分解することであって、
分割深度において、分割されたトンネル・ポストを通過する制御経路の互いに素な集合を得るために、アンロールされた制御流れ図（ＣＦＧ）の上で順方向及び逆方向のスライシングを実行することによって、前記プログラムによる分離した制御経路にもとづいて、少なくとも１つのトンネルを生成することと、
前記少なくとも１つのトンネルに課せられた経路制約条件を使用しつつ、ＢＭＣアンローリングを使用して簡約されたＢＭＣ下位問題を得ることと、
前記到達可能なプロパティ・ノードに対して、１次論理の決定可能なサブセット内の限定記号のない数式（ＱＦＰ）を決定することと、
前記ＱＦＰが前記下位問題に対して充足し得るかどうかを判定するために、充足可能性モジュロ理論（ＳＭＴ）ソルバーを使用して、前記ＱＦＰの充足化可能性を独立して、かつ個々に検査することと、
により、有界モデル検査（ＢＭＣ）のためのプログラムを下位問題に分解することと、
前記分解することを、１つのＢＭＣ限界に到達するまで続けることと、
有するコンピュータ・プログラムの有界モデル検査のための方法。
【請求項１０】
前記ＱＦＰ数式が充足し得るならば、反例（ＣＥＸ）を決定し、すべてのＢＭＣ下位問題が充足し得ないならば、アンロールされた深度を増し、分解段階を繰り返すことを、さらに有する、請求項９記載の方法。
【請求項１１】
前記下位問題をさらに制約するために、前記少なくとも１つのトンネルに流れ制約条件を適用することを、さらに有する、請求項９記載の方法。
【請求項１２】
前記少なくとも１つの到達可能なプロパティ・ノードが存在するか否かを判定するために、有界モデル検査（ＢＭＣ）限界への有界な制御状態到達可能性を計算することを、さらに有する、請求項９記載の方法。
【請求項１３】
各下位問題が、すべての他の下位問題から独立して、スケジュール設定可能であり、かつ解くことが可能であるように、各下位問題が独立である、請求項９記載の方法。
【請求項１４】
前記少なくとも１つのトンネルを、分離した制御経路にもとづいて、１組のより小さい集合のトンネルに分割することと、前記集合のそれぞれを下位問題として解くことを、さらに有する、請求項９記載の方法。
【手続補正書】
【提出日】平成23年8月24日(2011.8.24)
【手続補正１】
【補正対象書類名】特許請求の範囲
【補正対象項目名】請求項１９
【補正方法】変更
【補正の内容】
【請求項１９】
プログラム中の変数のロックセット情報を算出することによって該プログラムの実行スレッド間のデータレースを決定することと、
経費の順に警告の人による検査なく適用される、１つまたは２つ以上の静的解析方法を実行することによって偽の警告を除去することと、
モデル検査を使用して残存する警告に対する具体的なエラートレースを発生することと、
を有するプログラム検証方法。
【手続補正２】
【補正対象書類名】特許請求の範囲
【補正対象項目名】請求項２６
【補正方法】変更
【補正の内容】
【請求項２６】
コンピュータ読み取り可能な媒体に格納され、実行時に、プログラムを解析して該プログラム中の潜在的な問題を生成するように構成された警告発生器と、
コンピュータ読み取り可能な媒体に格納され、実行時に、経費の順に用いられる、１つまたは２つ以上の静的解析方法を実行するように構成された警告除去器と、
コンピュータ読み取り可能な媒体に格納され、実行時に、モデル検査を用いて残存する警告に対する具体的なエラートレースを生成するように構成されたモデル検査器と、
を有するプログラム検証システム。
【手続補正３】
【補正対象書類名】特許請求の範囲
【補正対象項目名】請求項２７
【補正方法】変更
【補正の内容】
【請求項２７】
前記除去器は同期制約と正常な不変条件の少なくとも１つを含む、請求項２６に記載のシステム。
【手続補正４】
【補正対象書類名】特許請求の範囲
【補正対象項目名】請求項２９
【補正方法】変更
【補正の内容】
【請求項２９】
前記警告は、ロックセット情報を算出することによって求められた、プログラム中の実行スレッドの間にデータレースを含む、請求項２６に記載のシステム。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
互いに横方向に並び、被処理物に対して処理を行って処理物を得るための複数の工程室と、
これら複数の工程室の並びの一方の側面側に当該並びに沿って水平に伸びる物流通路に設けられ、被処理物または処理物の収納された搬送容器を工程室間において搬送する搬送機構と、
前記工程室の並びの方向に工程室に隣接して設けられ、被処理物を梱包容器から搬送容器に入れ替えて、当該搬送容器を前記搬送機構に受け渡すための入れ替え室と、
前記入れ替え室における前記物流通路とは反対側の側面側に形成され、当該入れ替え室に作業者が出入りするための作業者用通路と、
前記入れ替え室の床面に形成され、前記梱包容器を受け取るための受け渡し口と、
前記工程室の階下に設けられた移載室と、
前記受け渡し口を介して前記入れ替え室に対して梱包容器を受け渡すために前記移載室に水平移動自在に設けられた搬送車と、を備え、
前記搬送車は、梱包容器を保持して支柱に沿って昇降するフォークを備え、前記支柱は、フォークが入れ替え室に対して梱包容器を受け渡すときの高さ位置である、受け渡し口よりも上方の高さ位置と、移載室にて水平に移動するときの高さ位置である、受け渡し口よりも低い高さ位置との間で伸縮自在に構成されていることを特徴とする処理設備。
【請求項２】
互いに横方向に並び、被処理物に対して処理を行って処理物を得るための複数の工程室と、
これら複数の工程室の並びの一方の側面側に当該並びに沿って水平に伸びる物流通路に設けられ、被処理物または処理物の収納された搬送容器を工程室間において搬送する搬送機構と、
前記工程室の階下に設けられた移載室と、
前記工程室の並びの方向に工程室に隣接して設けられ、前記搬送機構から受け取った搬送容器内の処理物を梱包容器に入れ替えて、当該梱包容器を前記移載室に受け渡すための入れ替え室と、
前記入れ替え室の床面に形成され、前記梱包容器を受け渡すための受け渡し口と、
前記入れ替え室における前記物流通路とは反対側の側面側に形成され、当該入れ替え室に作業者が出入りするための作業者用通路と、
前記受け渡し口を介して前記入れ替え室から梱包容器を受け取って外部に搬送するために前記移載室に水平移動自在に設けられた搬送車と、を備え、
前記搬送車は、梱包容器を保持して支柱に沿って昇降するフォークを備え、前記支柱は、フォークが入れ替え室から梱包容器を受け取るときの高さ位置である、受け渡し口よりも上方の高さ位置と、移載室にて水平に移動するときの高さ位置である、受け渡し口よりも低い高さ位置との間で伸縮自在に構成されているたことを特徴とする処理設備。
【請求項３】
前記作業者用通路には、前記入れ替え室内で用いられる処理装置の洗浄を行うための洗浄室が接続されていることを特徴とする請求項１または２に記載の処理設備。
【請求項４】
前記作業者用通路は、前記工程室に作業者が出入りするための通路を兼用していることを特徴とする請求項１ないし３のいずれか一つに記載の処理設備。
【請求項５】
前記入れ替え室は、複数配置されていることを特徴とする請求項１ないし４のいずれか一つに記載の処理設備。
【請求項６】
前記受け渡し口は、前記複数の入れ替え室のうちの少なくとも２つの床面に形成されていることを特徴とする請求項５に記載の処理設備。
【請求項７】
前記洗浄室は、前記工程室及び前記入れ替え室の複数において共有されていることを特徴とする請求項１ないし６のいずれか一つに記載の処理設備。
【請求項８】
前記受け渡し口は、前記入れ替え室の床面に代えて、前記作業者用通路の床面に形成されていることを特徴とする請求項１ないし７のいずれか一つに記載の処理設備。
【手続補正２】
【補正対象書類名】明細書
【補正対象項目名】００１２
【補正方法】変更
【補正の内容】
【００１２】
本発明の処理設備は、
互いに横方向に並び、被処理物に対して処理を行って処理物を得るための複数の工程室と、
これら複数の工程室の並びの一方の側面側に当該並びに沿って水平に伸びる物流通路に設けられ、被処理物または処理物の収納された搬送容器を工程室間において搬送する搬送機構と、
前記工程室の並びの方向に工程室に隣接して設けられ、被処理物を梱包容器から搬送容器に入れ替えて、当該搬送容器を前記搬送機構に受け渡すための入れ替え室と、
前記入れ替え室における前記物流通路とは反対側の側面側に形成され、当該入れ替え室に作業者が出入りするための作業者用通路と、
前記入れ替え室の床面に形成され、前記梱包容器を受け取るための受け渡し口と、
前記工程室の階下に設けられた移載室と、
前記受け渡し口を介して前記入れ替え室に対して梱包容器を受け渡すために前記移載室に水平移動自在に設けられた搬送車と、を備え、
前記搬送車は、梱包容器を保持して支柱に沿って昇降するフォークを備え、前記支柱は、フォークが入れ替え室に対して梱包容器を受け渡すときの高さ位置である、受け渡し口よりも上方の高さ位置と、移載室にて水平に移動するときの高さ位置である、受け渡し口よりも低い高さ位置との間で伸縮自在に構成されていることを特徴とする。
【手続補正３】
【補正対象書類名】明細書
【補正対象項目名】００１３
【補正方法】変更
【補正の内容】
【００１３】
また、本発明の処理設備は、
互いに横方向に並び、被処理物に対して処理を行って処理物を得るための複数の工程室と、
これら複数の工程室の並びの一方の側面側に当該並びに沿って水平に伸びる物流通路に設けられ、被処理物または処理物の収納された搬送容器を工程室間において搬送する搬送機構と、
前記工程室の階下に設けられた移載室と、
前記工程室の並びの方向に工程室に隣接して設けられ、前記搬送機構から受け取った搬送容器内の処理物を梱包容器に入れ替えて、当該梱包容器を前記移載室に受け渡すための入れ替え室と、
前記入れ替え室の床面に形成され、前記梱包容器を受け渡すための受け渡し口と、
前記入れ替え室における前記物流通路とは反対側の側面側に形成され、当該入れ替え室に作業者が出入りするための作業者用通路と、
前記受け渡し口を介して前記入れ替え室から梱包容器を受け取って外部に搬送するために前記移載室に水平移動自在に設けられた搬送車と、を備え、
前記搬送車は、梱包容器を保持して支柱に沿って昇降するフォークを備え、前記支柱は、フォークが入れ替え室から梱包容器を受け取るときの高さ位置である、受け渡し口よりも上方の高さ位置と、移載室にて水平に移動するときの高さ位置である、受け渡し口よりも低い高さ位置との間で伸縮自在に構成されているたことを特徴とする。
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
（Ａ）〜（Ｃ）成分を含む異方導電性接着剤。
（Ａ）成分：ポリアミドエラストマー
（Ｂ）成分：球状の導電性粉体
（Ｃ）成分：溶剤
【請求項２】
（Ａ）成分が、不飽和脂肪酸の重合反応により合成された１分子に２以上のカルボキシル基を有する化合物を原料として合成されたポリアミドエラストマーからなる請求項１に記載の異方導電性接着剤。
【請求項３】
（Ａ）成分の融点が９０℃〜１４０℃の請求項１または２のいずれかに記載の異方導電性接着剤。
【請求項４】
（Ｂ）成分が有機粒子をコアとするメッキ粉である請求項１〜３のいずれかに記載の異方導電性接着剤。
【請求項５】
フレキシブルプリントサーキットに請求項１〜４のいずれかに記載の異方導電性接着剤をスクリーン印刷または塗布した後、（Ｃ）成分を揮発させたフレキシブルプリントサーキット部材。
【請求項６】
請求項１〜４のいずれかに記載の異方導電性接着剤をスクリーン印刷または塗布した後、（Ｃ）成分を揮発させることで形成された塗膜。
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
チタン酸バリウムおよび該チタン酸バリウムに対して０．０４質量％以上０．２０質量％以下のマンガンを含有する圧電セラミックスであって、前記圧電セラミックスを構成する結晶粒は円相当径が３０μｍ以上３００μｍ以下の結晶粒Ａと、円相当径が０．５μｍ以上３μｍ以下の結晶粒Ｂを含有し、前記結晶粒Ａおよび前記結晶粒Ｂは各々が凝集して凝集体を形成し、かつ前記結晶粒Ａの凝集体と、前記結晶粒Ｂの凝集体が混合していることを特徴とする圧電セラミックス。
【請求項２】
前記結晶粒Ａの凝集体と、前記結晶粒Ｂの凝集体が海島構造を形成していることを特徴とする請求項１に記載の圧電セラミックス。
【請求項３】
前記結晶粒Ａと前記結晶粒Ｂがともに、中心非対称である同一の結晶構造を有するチタン酸バリウムを含有することを特徴とする請求項１または２に記載の圧電セラミックス。
【請求項４】
前記結晶粒Ａと前記結晶粒Ｂの結晶構造がともに正方晶構造であることを特徴とする請求項３に記載の圧電セラミックス。
【請求項５】
前記結晶粒Ｂの凝集体が、前記海島構造の島部分を形成していることを特徴とする請求項２に記載の圧電セラミックス。
【請求項６】
前記圧電セラミックスの表面または断面で観測した際の前記結晶粒Ａの占める割合が４０面積％以上８６面積％以下であることを特徴とする請求項１乃至５のいずれかの項に記載の圧電セラミックス。
【請求項７】
前記圧電セラミックスの表面または断面で観測した際の前記結晶粒Ｂの凝集体の占める割合が１４面積％以上６０面積％以下であることを特徴とする請求項１乃至５のいずれかの項に記載の圧電セラミックス。
【請求項８】
前記結晶粒Ａと前記結晶粒Ｂが、チタン酸バリウムおよび該チタン酸バリウムに対して０．０４質量％以上０．２０質量％以下のマンガンを含有することを特徴とする請求項１乃至７のいずれかの項に記載の圧電セラミックス。
【請求項９】
前記圧電セラミックスは、前記結晶粒Ａと前記結晶粒Ｂの円相当径の条件を満たさない結晶粒Ｃを含有し、前記圧電セラミックスの表面または断面で観測した際の前記結晶粒Ｃの占める割合が１０面積％以下であることを特徴とする請求項１乃至８のいずれかの項に記載の圧電セラミックス。
【請求項１０】
第一の電極、圧電セラミックスおよび第二の電極を少なくとも有する圧電素子であって、前記圧電セラミックスが請求項１乃至９のいずれかに記載の圧電セラミックスであることを特徴とする圧電素子。
【請求項１１】
請求項１０に記載の圧電素子を配した振動部を備えた液室と、前記液室と連通する吐出口を少なくとも有する液体吐出ヘッド。
【請求項１２】
請求項１０に記載の圧電素子を配した振動体と、前記振動体と接触するロータと、を少なくとも有する超音波モータ。
【請求項１３】
金属換算で０．０５質量％以上２．０質量％以下のマンガンを含有するチタン酸バリウム粒子１と、金属換算で０．０４質量％未満のマンガンを含有するチタン酸バリウム粒子２を少なくとも混合した混合物を焼結処理する工程を少なくとも有することを特徴とする圧電セラミックスの製造方法。
【請求項１４】
前記チタン酸バリウム粒子１と前記チタン酸バリウム粒子２の混合物に含有されるチタン酸バリウム粒子１の含有量が、２質量％以上９０質量％以下であることを特徴とする請求項１３に記載の圧電セラミックスの製造方法。
【手続補正２】
【補正対象書類名】明細書
【補正対象項目名】００１２
【補正方法】変更
【補正の内容】
【００１２】
前記課題を解決するための圧電セラミックスは、チタン酸バリウムおよび該チタン酸バリウムに対して０．０４質量％以上０．２０質量％以下のマンガンを含有する圧電セラミックスであって、前記圧電セラミックスを構成する結晶粒は円相当径が３０μｍ以上３００μｍ以下の結晶粒Ａと、円相当径が０．５μｍ以上３μｍ以下の結晶粒Ｂを含有し、前記結晶粒Ａおよび前記結晶粒Ｂは各々が凝集して凝集体を形成し、かつ前記結晶粒Ａの凝集体と、前記結晶粒Ｂの凝集体が混合していることを特徴とする。
【手続補正３】
【補正対象書類名】明細書
【補正対象項目名】００１４
【補正方法】変更
【補正の内容】
【００１４】
前記課題を解決するための液体吐出ヘッドは、上記の圧電素子を配した振動部を備えた液室と、前記液室と連通する吐出口を少なくとも有する液体吐出ヘッドである。
【手続補正４】
【補正対象書類名】明細書
【補正対象項目名】００１５
【補正方法】変更
【補正の内容】
【００１５】
前記課題を解決するための超音波モータは、上記の圧電素子を配した振動体と、前記振動体と接触するロータと、を少なくとも有する超音波モータである。
【手続補正書】
【提出日】平成23年8月1日(2011.8.1)
【手続補正１】
【補正対象書類名】特許請求の範囲
【補正対象項目名】請求項１
【補正方法】変更
【補正の内容】
【請求項１】
複数の板状体が積層した積層体からなる断熱材であって、
各板状体は、発泡材料を押出発泡した、複数の棒状の発泡体が一方向に複数段配向して一体化され、
かつ、積層方向に隣り合う板状体が、一方の板状体の発泡体の配向方向と、他方の板状体の発泡体の配向方向とが略直交するように積層していることを特徴とする断熱材。
【手続補正２】
【補正対象書類名】明細書
【補正対象項目名】０００８
【補正方法】変更
【補正の内容】
【０００８】
本発明の断熱材は、複数の板状体が積層した積層体からなる断熱材であって、各板状体は、発泡材料を押出発泡した、複数の棒状の発泡体が一方向に複数段配向して一体化され、かつ、積層方向に隣り合う板状体が、一方の板状体の発泡体の配向方向と、他方の板状体の発泡体の配向方向とが略直交するように積層していることを特徴とする。
ここで、本発明の断熱材は、枠体の中に配置される。
また、前記積層体の側面のうち、枠体に接触する側面が傾斜していることが好ましい。
さらに、前記枠体に接触する側面は、積層体の上面または底面から、それに対向した底面または上面に向かって内側に傾斜し、かつ前記枠体に接触する側面のうち少なくとも１つが、積層体の上面と底面のうち広がっている方の面を含む板状体の発泡体の配向方向に直交する面であり、前記広がっている方の面を含む板状体は、該板状体の発泡体の両端側の側面近傍に、発泡体の配向方向に直交した溝が、前記両端側の側面に沿って形成されたことが好ましい。